(57)【要約】【課題】  光ファイバの余長を一律にすることによってとぐろ巻きによる不具合を一挙に解決することを可能とした光ボード装置を提供することにある。【解決手段】  複数の光ファイバと、ボードと、ボードの一端部に実装され、複数の光ファイバの一端部側を接続する２つの光コネクタと、ボード上に実装され、複数の光ファイバの他端部側を個別に接続する複数の光通信回路部品とを備え、光コネクタおよび光通信回路部品がボードの中心線を挟んで対称に位置し、光ファイバが光コネクタと光通信回路部品との間で２カ所においてそれぞれボードに固定された複数のケーブルホルダにより保持されるとともに、ケーブルホルダ間において一定の径に曲げ部を形成し、かつ曲げ部がボードの中心線を挟んで対称に位置して成ることを特徴とする。【選択図】    図１
2006023590.tif 000002
【特許請求の範囲】
【請求項１】
複数の光ファイバと、
ボードと、
前記ボードの一端部に実装され、前記複数の光ファイバの一端部側を接続する２つの光コネクタと、
前記ボード上に実装され、前記複数の光ファイバの他端部側を個別に接続する複数の光通信回路部品とを備え、
前記光コネクタおよび前記光通信回路部品が前記ボードの中心線を挟んで対称に位置し、
前記光ファイバが前記光コネクタと前記光通信回路部品との間で２カ所においてそれぞれ前記ボードに固定された複数のケーブルホルダにより保持されるとともに、前記ケーブルホルダ間において一定の径に曲げ部を形成し、かつ前記曲げ部が前記ボードの中心線を挟んで対称に位置して成る
ことを特徴とする光ボード装置。
【請求項２】
複数の光ファイバと、
ボードと、
前記ボードの一端部に実装され、前記複数の光ファイバの一端部側を接続する２つの光コネクタと、
前記光コネクタを取り付けた前記ボードの一端部と平行して前記ボードに等間隔で複数の光通信回路部品を実装し、前記複数の光ファイバの他端部側を個別に接続して成る第一の光通信回路部品群と、
前記第一の光通信回路部品群と平行して前記ボードに等間隔で複数の光通信回路部品を実装し、前記複数の光ファイバの他端部側を個別に接続して成る第二の光通信回路部品群とを備え、
前記光コネクタ、前記第一の光通信回路部品群および第二の光通信回路部品群は、前記ボードの中心線を挟んで対称に位置し、
前記光コネクタと前記第一の光通信回路部品群とに接続される各前記光ファイバ、および前記光コネクタと前記第二の光通信回路部品群とに接続される各前記光ファイバは、長さが等しく、前記光コネクタと前記光通信回路部品との間で２カ所においてそれぞれ前記ボードに固定された複数のケーブルホルダにより保持されるとともに、前記ケーブルホルダ間において一定の径に曲げ部を形成し、かつ前記曲げ部が前記ボードの中心線を挟んで対称に位置して成る
ことを特徴とする光ボード装置。
【請求項３】
複数の光ファイバと、
ボードと、
前記ボードの一端部に実装され、前記複数の光ファイバの一端部側を接続する２つの光コネクタと、
前記ボード上に実装され、前記複数の光ファイバの他端部側を個別に接続する複数の光通信回路部品と、
前記光コネクタと前記光通信回路部品との間で２カ所において前記ボード上に固定されるケーブルホルダ台と、
前記ケーブルホルダ台に取り付けられる複数のケーブルホルダとを備え、
前記光コネクタおよび前記光通信回路部品が前記ボードの中心線を挟んで対称に位置し、
前記光ファイバが前記光コネクタと前記光通信回路部品との間で前記ケーブルホルダ台に取り付けたケーブルホルダにより保持されるとともに、前記ケーブルホルダ台間において一定の径に曲げ部を形成し、かつ前記曲げ部が前記ボードの中心線を挟んで対称に位置して成る
ことを特徴とする光ボード装置。
【請求項４】
複数の光ファイバと、
ボードと、
前記ボードの一端部に実装され、前記複数の光ファイバの一端部側を接続する２つの光コネクタと、
前記光コネクタを取り付けた前記ボードの一端部と平行して前記ボードに等間隔で複数の光通信回路部品を実装し、前記複数の光ファイバの他端部側を個別に接続して成る第一の光通信回路部品群と、
前記第一の光通信回路部品群と平行して前記ボードに等間隔で複数の光通信回路部品を実装し、前記複数の光ファイバの他端部側を個別に接続して成る第二の光通信回路部品群と、
前記光コネクタと前記光通信回路部品との間で２カ所において前記ボード上に固定されるケーブルホルダ台と、
前記ケーブルホルダ台に取り付けられる複数のケーブルホルダとを備え、
前記光コネクタ、前記第一の光通信回路部品群および第二の光通信回路部品群は、前記ボードの中心線を挟んで対称に位置し、
前記光コネクタと前記第一の光通信回路部品群とに接続される各前記光ファイバ、および前記光コネクタと前記第二の光通信回路部品群とに接続される各前記光ファイバは、長さが等しく、前記光コネクタと前記光通信回路部品との間で２カ所において前記ケーブルホルダ台に取り付けたケーブルホルダにより保持されるとともに、前記ケーブルホルダ台間において一定の径に曲げ部を形成し、かつ前記曲げ部が前記ボードの中心線を挟んで対称に位置して成る
ことを特徴とする光ボード装置。
【請求項５】
請求項１ないし請求項４の何れか記載の光ボード装置において、
前記曲げ部は、半径が３０ｍｍφである
ことを特徴とする光ボード装置。
【請求項６】
請求項１たは請求項２記載の光ボード装置において、
前記ケーブルホルダの間隔は、７０ｍｍである
ことを特徴とする光ボード装置。
【請求項７】
請求項３または請求項４記載の光ボード装置において、
前記ケーブルホルダ台は、前記ケーブルホルダを取り付ける穴が等間隔で設けられている
ことを特徴とする光ボード装置。
【請求項８】
請求項３たは請求項４記載の光ボード装置において、
前記ケーブルホルダ台は、７０ｍｍの間隔で設けられている
ことを特徴とする光ボード装置。
【発明の詳細な説明】
【技術分野】
【０００１】
本発明は、光通信回路部品と光コネクタとを実装して成る光ボード装置に関する。
【背景技術】
【０００２】
従来、この種の光ボード装置としては、例えば、特許文献１の図１２に示されるように、光コネクタと光通信回路部品とを光ファイバで接続し、光コネクタと光通信回路部品との間で光信号をやりとりするように構成されている。
【特許文献１】特開２０００−３０４９４１号公報
【発明の開示】
【発明が解決しようとする課題】
【０００３】
しかし、従来の光ボード装置では、光コネクタと光通信回路部品とを接続する光ファイバを、ボード上において所謂とぐろ巻きにしていたため、光ファイバどうしが絡み合ったり、ボード上を占拠する空間により実装部品の妨げとなったり、実装部品の点数の制約となったり、接続すべき光ファイバを間違えたりするなどの不具合があった。
本発明は、斯かる従来の問題点を解決するために為されたもので、その目的は、光ファイバの余長を一律にすることによってとぐろ巻きによる不具合を一挙に解決することを可能とした光ボード装置を提供することにある。
【課題を解決するための手段】
【０００４】
請求項１に係る発明は、複数の光ファイバと、ボードと、前記ボードの一端部に実装され、前記複数の光ファイバの一端部側を接続する２つの光コネクタと、前記ボード上に実装され、前記複数の光ファイバの他端部側を個別に接続する複数の光通信回路部品とを備え、前記光コネクタおよび前記光通信回路部品が前記ボードの中心線を挟んで対称に位置し、前記光ファイバが前記光コネクタと前記光通信回路部品との間で２カ所においてそれぞれ前記ボードに固定された複数のケーブルホルダにより保持されるとともに、前記ケーブルホルダ間において一定の径に曲げ部を形成し、かつ前記曲げ部が前記ボードの中心線を挟んで対称に位置して成ることを特徴とする。
【０００５】
請求項２に係る発明は、複数の光ファイバと、ボードと、前記ボードの一端部に実装され、前記複数の光ファイバの一端部側を接続する２つの光コネクタと、前記光コネクタを取り付けた前記ボードの一端部と平行して前記ボードに等間隔で複数の光通信回路部品を実装し、前記複数の光ファイバの他端部側を個別に接続して成る第一の光通信回路部品群と、前記第一の光通信回路部品群と平行して前記ボードに等間隔で複数の光通信回路部品を実装し、前記複数の光ファイバの他端部側を個別に接続して成る第二の光通信回路部品群とを備え、前記光コネクタ、前記第一の光通信回路部品群および第二の光通信回路部品群は、前記ボードの中心線を挟んで対称に位置し、前記光コネクタと前記第一の光通信回路部品群とに接続される各前記光ファイバ、および前記光コネクタと前記第二の光通信回路部品群とに接続される各前記光ファイバは、長さが等しく、前記光コネクタと前記光通信回路部品との間で２カ所においてそれぞれ前記ボードに固定された複数のケーブルホルダにより保持されるとともに、前記ケーブルホルダ間において一定の径に曲げ部を形成し、かつ前記曲げ部が前記ボードの中心線を挟んで対称に位置して成ることを特徴とする。
【０００６】
請求項３に係る発明は、複数の光ファイバと、ボードと、前記ボードの一端部に実装され、前記複数の光ファイバの一端部側を接続する２つの光コネクタと、前記ボード上に実装され、前記複数の光ファイバの他端部側を個別に接続する複数の光通信回路部品と、前記光コネクタと前記光通信回路部品との間で２カ所において前記ボード上に固定されるケーブルホルダ台と、前記ケーブルホルダ台に取り付けられる複数のケーブルホルダとを備え、前記光コネクタおよび前記光通信回路部品が前記ボードの中心線を挟んで対称に位置し、前記光ファイバが前記光コネクタと前記光通信回路部品との間で前記ケーブルホルダ台に取り付けたケーブルホルダにより保持されるとともに、前記ケーブルホルダ台間において一定の径に曲げ部を形成し、かつ前記曲げ部が前記ボードの中心線を挟んで対称に位置して成ることを特徴とする。
【０００７】
請求項４に係る発明は、複数の光ファイバと、ボードと、前記ボードの一端部に実装され、前記複数の光ファイバの一端部側を接続する２つの光コネクタと、前記光コネクタを取り付けた前記ボードの一端部と平行して前記ボードに等間隔で複数の光通信回路部品を実装し、前記複数の光ファイバの他端部側を個別に接続して成る第一の光通信回路部品群と、前記第一の光通信回路部品群と平行して前記ボードに等間隔で複数の光通信回路部品を実装し、前記複数の光ファイバの他端部側を個別に接続して成る第二の光通信回路部品群と、前記光コネクタと前記光通信回路部品との間で２カ所において前記ボード上に固定されるケーブルホルダ台と、前記ケーブルホルダ台に取り付けられる複数のケーブルホルダとを備え、前記光コネクタ、前記第一の光通信回路部品群および第二の光通信回路部品群は、前記ボードの中心線を挟んで対称に位置し、前記光コネクタと前記第一の光通信回路部品群とに接続される各前記光ファイバ、および前記光コネクタと前記第二の光通信回路部品群とに接続される各前記光ファイバは、長さが等しく、前記光コネクタと前記光通信回路部品との間で２カ所において前記ケーブルホルダ台に取り付けたケーブルホルダにより保持されるとともに、前記ケーブルホルダ台間において一定の径に曲げ部を形成し、かつ前記曲げ部が前記ボードの中心線を挟んで対称に位置して成ることを特徴とする。
【０００８】
請求項５に係る発明は、請求項１ないし請求項４の何れか記載の光ボード装置において、前記曲げ部は、半径が３０ｍｍφであることを特徴とする。
請求項６に係る発明は、請求項１たは請求項２記載の光ボード装置において、前記ケーブルホルダの間隔は、７０ｍｍであることを特徴とする。
請求項７に係る発明は、請求項３または請求項４記載の光ボード装置において、前記ケーブルホルダ台は、前記ケーブルホルダを取り付ける穴が等間隔で設けられていることを特徴とする。
【０００９】
請求項８に係る発明は、請求項３たは請求項４記載の光ボード装置において、前記ケーブルホルダ台は、７０ｍｍの間隔で設けられていることを特徴とする。
【発明の効果】
【００１０】
本発明によれば、光ファイバの余長処理を不要とし、光ファイバどうしの絡み合いを無くし、実装部品への妨げを起こさず、実装部品の点数の制約とならず、接続すべき光ファイバの間違えを起こさないなどの利点がある。
【発明を実施するための最良の形態】
【００１１】
以下、本発明を図面に示す実施形態に基づいて説明する。
図１ないし図３は、本発明の第一実施形態に係る光ボード装置１を示す（請求項１，２，５，６に対応する）。
本実施形態に係る光ボード装置１は、矩形状のボード２と、光コネクタ３，４と、第一の光通信回路部品群５と、第二の光通信回路部品群６と、光コネクタ３，４と第一の光通信回路部品群５とを個別に接続する第一の光ファイバ群７と、光コネクタ３，４と第二の光通信回路部品群６とを個別に接続する第二の光ファイバ群８とを備えている。
【００１２】
ボード２には、モジュラジャックから成る電気コネクタ２ｂ、バックボードプリント配線板直付けの電気コネクタ２ｃ、バックボードプリント配線板直付けの電源コネクタ２ｄ、プリント板ユニット抜去レバー２ｅが備えてある。
光コネクタ３，４は、ボード２の短辺側の一端部２ａにおいて、ボード２の中心線Ｃを挟んで対称に位置するように取り付けられている。光コネクタ３，４は、それぞれ８つの接続部を有し、第一の光通信回路部品群５を構成する８つの光通信回路５−１，５−２，５−３，５−４，５−５，５−６，５−７，５−８と第二の光通信回路部品群６を構成する８つの光通信回路６−１，６−２，６−３，６−４，６−５，６−６，６−７，６−８と対応関係が取られている。
【００１３】
第一の光通信回路部品群５は、ボード２の一端部２ａと平行な線分Ａ上に８つの光通信回路５−１，５−２，５−３，５−４，５−５，５−６，５−７，５−８を等間隔で配置することによって構成されている。
第二の光通信回路部品群６は、ボード２の一端部２ａと平行な線分Ｂ上に８つの光通信回路６−１，６−２，６−３，６−４，６−５，６−６，６−７，６−８を一定間隔で配置することによって構成されている。
【００１４】
第一の光ファイバ群７は、第一の光通信回路部品群５と光コネクタ３，４とを接続する等長の８つの光ファイバ７−１，７−２，７−３，７−４，７−５，７−６，７−７，７−８で構成されている。
第二の光ファイバ群８は、第二の光通信回路部品群６と光コネクタ３，４とを接続する等長の８つの光ファイバ８−１，８−２，８−３，８−４，８−５，８−６，８−７，８−８で構成されている。
【００１５】
第一の光ファイバ群７および第二の光ファイバ群８は、光コネクタ３，４と第一の光通信回路部品群５、第二の光通信回路部品群６との間で２カ所においてそれぞれボード２に固定された第一のケーブルホルダ群９と第二のケーブルホルダ群１０により保持されている。そして、第一の光ファイバ群７および第二の光ファイバ群８は、第一のケーブルホルダ群９と第二のケーブルホルダ群１０との間において一定の径に曲げ部１１Ａ，１２Ａを形成し、かつ曲げ部１１Ａ，１２Ａがボード２の中心線Ｃを挟んで対称に位置するように保持されている。ここで、曲げ部１１Ａ，１２Ａの曲げ半径は３０ｍｍφとした。
【００１６】
第一のケーブルホルダ群９は、ボード２の一端部２ａと平行な線分Ｄ上に５つのケーブルホルダ９−１，９−２，９−３，９−４，９−５を等間隔で配置することによって構成されている。ケーブルホルダ９−３がボード２の中心線Ｃ上に位置している。
第二のケーブルホルダ群１０は、ボード２の一端部２ａと平行な線分Ｅ上に５つのケーブルホルダ１０−１，１０−２，１０−３，１０−４，１０−５を等間隔で配置することによって構成されている。ケーブルホルダ１０−３がボード２の中心線Ｃ上に位置している。
【００１７】
ここで、第一のケーブルホルダ群９と第二のケーブルホルダ群１０との間隔は、７０ｍｍとした。また、ケーブルホルダ９−１，９−２，９−３，９−４，９−５，１０−１，１０−２，１０−３，１０−４，１０−５は、ボード上に取り付けられ、光ファイバを保持することができる機能を有する公知のものであり、本実施形態においては特定しない。
次に、斯くして構成された本実施形態に係る光ボード装置１の組み付けについて説明する。
【００１８】
先ず、図２に示すように、一方の光コネクタ３と、第一の光通信回路部品群５の４つの光通信回路５−１，５−２，５−３，５−４および第二の光通信回路部品群６の４つの光通信回路６−１，６−２，６−３，６−４とを、第一の光ファイバ群７の４つの光ファイバ７−１，７−２，７−３，７−４と第二の光ファイバ群８の４つの光ファイバ８−１，８−２，８−３，８−４とで接続する。
【００１９】
この際、第一の光ファイバ群７の４つの光ファイバ７−１，７−２，７−３，７−４と第二の光ファイバ群８の４つの光ファイバ８−１，８−２，８−３，８−４とは、それぞれが曲げ半径３０ｍｍφを確保するように、第一のケーブルホルダ群９の５つのケーブルホルダ９−１，９−２，９−３，９−４，９−５と第二のケーブルホルダ群１０の４つのケーブルホルダ１０−２，１０−３，１０−４，１０−５を利用して、それぞれを各ケーブルホルダ９−１，９−２，９−３，９−４，９−５，１０−２，１０−３，１０−４，１０−５に保持する。
【００２０】
次に、図３に示すように、他方の光コネクタ４と、第一の光通信回路部品群５の４つの光通信回路５−５，５−６，５−７，５−８および第二の光通信回路部品群６の４つの光通信回路６−５，６−６，６−７，６−８とを、第一の光ファイバ群７の４つの光ファイバ７−５，７−６，７−７，７−８と第二の光ファイバ群８の４つの光ファイバ８−５，８−６，８−７，８−８とで接続する。
【００２１】
この際、第一の光ファイバ群７の４つの光ファイバ７−５，７−６，７−７，７−８と第二の光ファイバ群８の４つの光ファイバ８−５，８−６，８−７，８−８とは、それぞれが曲げ半径３０ｍｍφを確保するように、第一のケーブルホルダ群９の５つのケーブルホルダ９−１，９−２，９−３，９−４，９−５と第二のケーブルホルダ群１０の５つのケーブルホルダ１０−１，１０−２，１０−３，１０−４を利用して、それぞれを各ケーブルホルダ９−１，９−２，９−３，９−４，９−５，１０−１，１０−２，１０−３，１０−４に保持する。
【００２２】
なお、図３では、図２に示す第一の光ファイバ群７の４つの光ファイバ７−１，７−２，７−３，７−４と第二の光ファイバ群８の４つの光ファイバ８−１，８−２，８−３，８−４との接続は、省略してある。
以上によって、図１に示す光ボード装置１を得ることができる。
本実施形態によれば、第一の光ファイバ群７と第二の光ファイバ群８とに一定の曲率の曲げ部１１Ａ，１２Ａを形成してボード２に組み付けるので、従来のボード装置のように光ファイバの余長処理を行うためのとぐろ巻きを形成する必要が無くなる。
【００２３】
第一の光ファイバ群７の８つの光ファイバ７−１，７−２，７−３，７−４，７−５，７−６，７−７，７−８および第二の光ファイバ群８の８つの光ファイバ８−１，８−２，８−３，８−４，８−５，８−６，８−７，８−８が、それぞれ等長であるから、組み付け作業が容易で、かつ均一な曲げ部を形成することが可能となる。
図４ないし図１０は、本発明の第二実施形態に係る光ボード装置１Ａを示す（請求項３，４，７，８に対応する）。
【００２４】
本実施形態に係る光ボード装置１Ａは、ケーブルホルダ９−１，９−２，９−３，９−４，９−５，１０−１，１０−２，１０−３，１０−４，１０−５を２本のケーブルホルダ台２０，２１に取り付けた点で、第一実施形態に係る光ボード装置１とは相違する。
２本のケーブルホルダ台２０，２１は、例えば、図４ないし図６、図８に示すように、ボード２の一端部２ａと平行な線分Ｄ，Ｅ上で、かつ他の電気部品とはかけ離れたボード２上に固定されるように、ボード２の長手方向の端部側に固定部２０ａ，２０ｂ，２１ａ，２１ｂを設けている。そして、ケーブルホルダ９−１，９−２，９−３，９−４，９−５，１０−１，１０−２，１０−３，１０−４，１０−５を取り付ける部位は、ボード２上の他の電気部品の高さよりも高くなっている。
【００２５】
本実施形態では、ケーブルホルダ９−１，９−２，９−３，９−４，９−５，１０−１，１０−２，１０−３，１０−４，１０−５の取り付けは、図７、図８に示すように、２本のケーブルホルダ台２０，２１に設けた複数の穴にケーブルホルダ９−１，９−２，９−３，９−４，９−５，１０−１，１０−２，１０−３，１０−４，１０−５を差し込む方式を採用したが、２本のケーブルホルダ台２０，２１にレールを設け、そのレールにケーブルホルダ９−１，９−２，９−３，９−４，９−５，１０−１，１０−２，１０−３，１０−４，１０−５を差し込む方式などにより、ケーブルホルダ９−１，９−２，９−３，９−４，９−５，１０−１，１０−２，１０−３，１０−４，１０−５を保持できる機構としても良い。なお、図７、図８に示す２本のケーブルホルダ台２０，２１には、さらに多くのケーブルホルダを取り付けることができるように、波線で示すように４つの穴が設けてある。また、図１０においては、ケーブルホルダ９−１を示したが、残りのケーブルホルダ９−２，９−３，９−４，９−５，１０−１，１０−２，１０−３，１０−４，１０−５も同様の形状を為している。
【００２６】
本実施形態に係る光ボード装置１Ａにおいても、図５および図６に示す手順に従って、それぞれの光コネクタ３，４と、第一の光通信回路部品群５と第二の光通信回路部品群６とを、第一の光ファイバ群７および第二の光ファイバ群８によって接続することによって得ることができる。
本実施形態においても、第一実施形態に係る光ボード装置１と同様の作用効果を奏することができる。
【図面の簡単な説明】
【００２７】
【図１】本発明の第一実施形態に係る光ボード装置１を示す平面図である。
【図２】図１における光ボード装置１の一方側の組み付け状態を示す平面図である。
【図３】図１における光ボード装置１の他方側の組み付け状態を示す平面図である。
【図４】本発明の第二実施形態に係る光ボード装置１Ａを示す平面図である。
【図５】図４における光ボード装置１Ａの一方側の組み付け状態を示す平面図である。
【図６】図４における光ボード装置１Ａの他方側の組み付け状態を示す平面図である。
【図７】図４における光ボード装置１Ａに用いるケーブルホルダ台２０，２１の平面図である。
【図８】図７における光ボード装置１Ａに用いるケーブルホルダ台２０，２１の側面図である。
【図９】図７における光ボード装置１Ａに用いるケーブルホルダ台２０，２１の端面図である。
【図１０】本発明の実施形態に用いるケーブルホルダの側面図である。
【符号の説明】
【００２８】
１，１Ａ  光ボード装置
２  ボード
３，４  光コネクタ
５  第一の光通信回路部品群
６  第二の光通信回路部品群
７  第一の光ファイバ群
８  第二の光ファイバ群
Ｃ  ボード２の中心線
５−１，５−２，５−３，５−４，５−５，５−６，５−７，５−８，６−１，６−２，６−３，６−４，６−５，６−６，６−７，６−８  光通信回路
７−１，７−２，７−３，７−４，７−５，７−６，７−７，７−８，８−１，８−２，８−３，８−４，８−５，８−６，８−７，８−８  光ファイバ
９  第一のケーブルホルダ群
９−１，９−２，９−３，９−４，９−５，１０−１，１０−２，１０−３，１０−４，１０−５  ケーブルホルダ
１０  第二のケーブルホルダ群
１１Ａ，１２Ａ  曲げ部
２０，２１  ケーブルホルダ台
【図１】
2006023590.tif 000003
【図２】
2006023590.tif 000004
【図３】
2006023590.tif 000005
【図４】
2006023590.tif 000006
【図５】
2006023590.tif 000007
【図６】
2006023590.tif 000008
【図７】
2006023590.tif 000009
【図８】
2006023590.tif 000010
【図９】
2006023590.tif 000011
【図１０】
2006023590.tif 000012